(57)【要約】【課題】  組立分解式球技用ゴール枠については、特にクロスバー両端の支柱との接続方法の問題でクロスバーにおいてたわみとねじれがあり、そのたわみとねじれを防止しようとして、大口径のパイプと構造材を多く使う結果により軽量化がなされていない。そのため、組立分解時間も長くなっている。【解決手段】  支柱接続補強部材かまたは支柱の上端とクロスバー接続補強部材をＴ字に接続しリブまたは角柱の部材により補強接続する。左右支柱の下端を支柱間の内に引き寄せて地盤埋め込み支持具で止める。それでもたわむ場合、支柱とクロスバーの接続部の角度決定にはねじを使用し、たわみが最小なるようねじを回すことによりゴール組立時の支柱とクロスバー接続角度を９０度を超え１００度以下に保つ接続機構を取り付ける。クロスバー接続部のねじれを防ぐため、クロスバーを軸にして支柱を回動自由にする。また、クロスバー部にテレスコピック式を取り入れる。【選択図】図１
2005168609.tif 000002
【特許請求の範囲】
【請求項１】
左右２本の支柱と、前記支柱の上端にその支柱より短い丸パイプまたは角パイプを前記支柱に外嵌した支柱接続補強部材かまたは前記支柱そのものと、クロスバー両端に丸パイプまたは角パイプを外嵌することにより前記クロスバーの両端支持する前記クロスバー接続補強部材と、前記支柱接続補強部材かまたは前記支柱そのものの上端と前記クロスバー接続補強部材をＴ字に接続しリブまたは角柱の部材により補強接続すること、左右２本の前記支柱の転倒を防止する前記支柱の下端から後方に設置した梁またはプレートと、前記クロスバーのたわみを防ぐため前記支柱の下端を支柱間の内側に引き寄せて止める地盤埋め込み支持具と、両端の前記支柱が前記クロスバーを回動軸にして別方向に回動するようにした前記クロスバーに設けた回動部材と、を特徴とする組立分解式球技用ゴール枠。
【請求項２】
請求項１に記載の、前記支柱接続補強部材かまたは前記支柱そのものの上端と前記クロスバー接続補強部材をＴ字に接続しリブまたは角柱の部材により補強接続することの代わりに、前記支柱接続補強材または前記支柱そのもの上端に支持金属板取り付けたこと、前記支持金属板において左右の前記支柱間の内側方向水平先端に鉛直方向にねじの回動が自在なるように組み付けられた雄ねじと、前記クロスバー接続補強部材のクロスバー両端に近い支点の一方は回動自在となっていてもう片方は前記クロスバー接続補強部材より前記雄ねじ位置に合うように水平方向に前記支持金属板を取り付けて穴を空けそこに雌ねじが切ってある接続部材と、これら２つの部材を組み合わせ前記クロスバーの中心部を上に上げる方向にねじを回し支柱に対するクロスバー接続角度が９０度を超えて１００度以下でクロスバーの最高点と最低点の差を最小にするための角度可変装置を特徴とする組立分解式球技用ゴール枠。
【請求項３】
請求項１記載の、前記支柱接続補強部材かまたは前記支柱そのものの上端と前記クロスバー接続補強部材をＴ字に接続しリブまたは角柱の部材により補強接続することの代わりに、前記支柱接続補強部材または前記支柱そのものと前記クロスバー接続補強部材の接続角度が９０度を超えて１００度以下で材料の強度と重さによりクロスバーの最高点と最低点の差を最小にする角度で接続しリブまたは角柱の部材を補強接続するにすることを特徴とする組立分解式球技用ゴール枠。
【請求項４】
前記支柱の背面または前記支柱から前記梁またはプレートの間を接続した方杖に気泡管や振り子式からなる垂直測定器を設けることを特徴とする請求項１〜３いずれかに記載の組立分解式球技用ゴール枠。
【請求項５】
クロスバーの中心を境に左右２セット別々のテレスコピック式部材と、中心部に３つ折りが可能なジョイントと、折れる部分に前記ジョイント部がすべて隠れる以上の長さの軸着したカラーリングと、折りたたみ時は前記テレスコッピク式部材の中心にもっとも近いロッドに前記カラーの収納スペースが設けてあるクロスバーを使うことを特徴とする組立分解式球技用ゴール枠。
【請求項６】
前記テレスコピック式部材を引き延ばした時に、前記テレスコピック式部材の径小部に設けた中心方向への押し込み自在の係止ピンと、前記テレスコピック式部材の径大部の壁に設けた前記係止ピンの位置と合う係止穴とからなる請求項５のクロスバーを使うことを特徴とする組立分解式球技用ゴール枠。
【発明の詳細な説明】
【技術分野】
【０００１】
本発明は組立分解移動が容易なサッカーまたはその他の球技のゴールに関するものである。
【背景技術】
【０００２】
球技用ゴール枠等は設計上の注意として、クロスバーのたわみ、移動時の形状変形や破損を考慮する必要がある。これらの破損を防ぎ強度を上げるために鋼材等で製作したゴールがあるが、例えばサッカーにおいてはサッカーコート片面用ゴール1台で２００ｋｇ以上あり、人が運ぶにはあまりにも重い。また、スポーツ少年団おいては子供たちが運ぶのは配慮も有り大人を集めて移動している。よって、ゴールの準備など子供たちの自主的活動をしたいが現状では出来ていない。
【０００３】
現在の球技用ゴールのほとんどは各部材が溶接によって固着しており、保管スペースも広く取りゴールが必要な時にゴールを増やして試合をすることなどが出来ない。
これらの改善としてすこしでも軽量化するためアルミニウム合金からなるパイプを用いたゴールがあるが、クロスバー中間部でたわみを持たせないために十分な太さのアルミニュウム合金パイプを必要とする。各部材も固着している点も以前と変わっていないので大人で４人程度居ないと運べない。
【０００４】
また、組立移動式サッカーゴールは正式サイズでない遊び用の小型の物は実用化しているが正式サッカーゴールとしては部材点数の多さや組立にくさの点で不十分であった。小型ゴールの例として特許番号  第２９２２１６１号が開示されているが、支柱が一体物の円弧L型部材により出来ている。このため７.３２ｍのクロスバーを作るとＬ型部材円弧曲がり部材がクロスバーのたわみに対して強度が不足している。また、Ｌ型円弧曲がり部がボール通過をじゃまするので、公式ルールになじまない。その上、左右２本の支柱下端から背面に出た転倒防止梁の先端間に、クロスバーと同じ長さのパイプを設置しなければならず、部材点数が増えていた。
【特許文献１】特許番号  第２９２２１６１号
【発明の開示】
【発明が解決しようとする課題】
【０００５】
解決しようとする問題点は専用グランドか、常にゴールが競技場の定位置に存在するグランドでなければ簡単に試合が出来ない点にある。例えば、正式なサッカーゴールにおいてはルール上クロスバーは幅７.３２ｍ必要であり、部材点数が多く重量２００ｋｇ以上のものが一般的である。
組立分解式球技用ゴール枠のついては、特にクロスバー両端の支柱との接続方法の問題でクロスバーにおいてたわみがあり、たわみを防止しようとして大口径や大角柱で肉厚の厚いのパイプを使うことにより軽量化がなされていない。
【０００６】
また、左右２本の支柱とクロスバーと左右２本の支柱下端から背面に出た転倒防止梁の正式寸法サッカーゴールにおいては、クロスバーの部分が長いのでここが数個に分割されている。組立作業時に組立を容易にするため、支柱を寝かせクロスバーが地面上にある状態で組立完了してから、全体を起こす必要がある。しかし、ゴールを起こすときには左右の支柱を同時に起こさないとクロスバーにねじれがおこり、クロスバーと支柱との取り付け部に過大なねじれの力が働くことがあった。これまではねじれの力を防止するため、左右２本支柱下端から背面に出た転倒防止梁の先端間に、クロスバーと同じ長さのパイプを設置していた。結果的に従来の組立移動式球技用ゴールでは部材点数が多く重く組立時間が長くなっていた。
移動を重視した軽量化に加え、収納性をも考慮した組立分解式球技用ゴール枠を供給することを目的とする。
【０００７】
前記組立移動式球技用ゴール組立時に支柱を立てる場合クロスバーの中心部重量のため支柱の下部は支柱間の外側に向かって開いているので、人間の目で地面に垂直かを確認しながら、内側に引き寄せて地盤埋め込み支持具で止める。即ち支柱が地面に垂直であるか否かは人間の感覚に頼るしかなく、感覚では垂直と思ったものが、少し離れて見ると傾斜していたということがあった。
前記組立移動式球技用ゴールはクロスバーの径がある一定以上（条件によって違うが鋼管の場合約厚さ２mm直径５０mm以上）の場合は中心部を水平に近くすることが出来るが、径や厚みがそれ以下の場合。また前記以上のパイプの径が有ってもパイプの材質が鋼管よりも柔らかい場合は中心部のたわみが目視で確認出来る量になってしまっていた。
組立移動式球技用ゴールはクロスバーを移動時に分割できればできるほど移動荷姿は小さくなるがその結果部品点数が多くなり組立、分解時間共長くなる。
【課題を解決するための手段】
【０００８】
請求項１に係る発明は、組立分解式球技用ゴール枠において、支柱左右２本の支柱と前記支柱の上端にその支柱より短い丸パイプまたは角パイプを前記支柱に外嵌した支柱接続補強部材または前記支柱そのものと、クロスバー両端に丸パイプまたは角パイプを外嵌することにより前記クロスバーの両端支持する前記クロスバー接続補強部材と、前記支柱接続補強部材かまたは前記支柱そのものの上端と前記クロスバー接続補強部材をＴ字に接続しリブまたは角柱の部材により補強接続すること、左右２本の前記支柱の転倒を防止する前記支柱の下端から後方に設置した梁またはプレートと、前記クロスバーのたわみを防ぐため前記支柱の下端を支柱間の内側に引き寄せて止める地盤埋め込み支持具と、両端の前記支柱が前記クロスバーを回動軸にして別方向に回動するようにした前記クロスバーに設けた回動部材とを備えている。また各部材は抜け止めねじ、または後記する抜け止め器具より組立分解ができるようになっている。
【０００９】
前記クロスバーは前記クロスバー接続補強部材からボルトまたは金具によって脱着自由となっている。また、前記クロスバーは２分割から５分割されることもある。その方法は、数本のクロスバーと，前記クロスバーを接続するための前記クロスバーの内径よりも、外径の小さい嵌脱可能なパイプと抜け止めねじや後記する抜け止め防止器具によって止める。
前記支柱は２分割されることもある。その方法は、２本の分割支柱と、前記分割支柱を接続するための前記分割支柱の内径よりも、外径の小さい嵌脱可能なパイプと抜け止めねじや後記する抜け止め防止器具によって止める。
左右２本の前記支柱の下端から後方に設置した梁またはプレートはその支柱より着脱可能となっている。その方法は、２本の前記支柱と、前記支柱を接続するための前記支柱の内径よりも外径の小さい嵌脱可能なパイプを前記梁またはプレートに接続しそれを抜け止めねじや後記する抜け止め防止器具によって止める。前記支柱から前記梁またはプレートの間にあって前後方向の補強目的の方杖を付けても良い。その方杖上部は着脱が出来る抜け止め防止器具で下部は折りたたみが出来る蝶番を付けても良い。方杖とは横柱材とその横柱材から垂直に立てた垂直柱材の間を斜めに接続する補強部材である。
支柱、クロスバー、パイプの材質は鋼鉄の他、アルミニュウム合金、ステンレス合金、ジュラルミン合金、プラスティック、カーボンファイバーなどが挙げられる。
【００１０】
材料力学による梁の曲げよれば、クロスバー両端の支柱に対する取り付け方法とたわみの量については、同じ材料のクロスバーで有っても、自由支持と固定支持とでは大きな違いがある。たわみ量の計算は自由支持の場合たわみ量をｖ１とし、固定支持の場合たわみ量をｖ２とするとクロスバーの長さがｌでクロスバーの総重量がＰで縦断面係数E、断面二次モーメントIとすると。自由支持の場合たわみ量は下記の数式１によって、固定支持の場合たわみ量が数式２で求まるということが材料力学的にすでにわかっている。
【００１１】
【数１】
2005168609.tif 000003
【００１２】
【数２】
2005168609.tif 000004
つまり、自由支持の場合は固定支持の５倍たわむので、支柱に対するクロスバーの取り付けをボールの通過にじゃまにならない範囲で可能な限り固定支持に近くする、つまり強固なものにする必要がある。そこで、支柱接続補強部材とクロスバー接続補強部材をＴ字に接続しリブまたは角柱の部材によりを補強接続することにする。前記接続するとは溶接とねじとリベットなどによるものを言う。左右２本の前記支柱の転倒を防止するため、その支柱の下端から後方に梁またはプレートを設置した。この梁は丸パイプまたは角パイプまたはＣ型チャンネルである。組立移動式球技用ゴール組立時に支柱を立てた時、クロスバーの中心部重量のため、クロスバーはたわみ支柱の下部は支柱間の外側に向かって開いているので、両支柱の下部内側に引き寄せて地盤埋め込み支持具で止める。この地盤埋め込み支持具は左右２本の前記支柱の転倒を防止する目的もかねる。
【００１３】
図２は自由回動部を設けることにより支柱を片側だけ立てた場合の図である。クロスバーに設けた自由回動部がない請求項１の部材を組立た場合、クロスバーの部分が長くまた、分割しているので、支柱を寝かせクロスバーが地面上にある状態で組立る。両支柱の片側だけを持ってゴールを立てた場合や、あるいは、両支柱の立てるタイミングがずれた場合は、途中でクロスバーにねじれの力が入り過ぎて、クロスバーと支柱の接続部が破損する恐れがある。よって、クロスバーの左右の支柱接続部のどちらかか、または分割したクロスバーとクロスバーの接続部分の少なくても１箇所クロスバーを軸にした自由回動部を設ける。
【００１４】
請求項２に係る発明は、請求項１に記載の、前記支柱接続補強部材または前記支柱そのものの上端と前記クロスバー接続補強部材をＴ字に接続しリブまたは角柱の部材を補強接続することの代わりに、前記支柱接続補強材あるいは前記支柱そのものの上端に支持金属板取り付けたこと、前記支持金属板において前記左右の支柱間の内側方向水平先端に鉛直方向にねじの回動が自在なるように組み付けられた雄ねじと、前記クロスバー接続補強部材のクロスバー両端に近い支点の一方は回動自在となっていてもう片方は前記クロスバー接続補強部材より前記おねじ位置に合うように水平方向に支持金属板を取り付けて穴を空けそこに雌ねじが切ってある接続部材と、これら２つの部材を組み合わせ前記クロスバーの中心部を上に上げる方向にねじを回し支柱に対するクロスバー接続角度が９０度を超えて１００度以下でクロスバーの最高点と最低点の差を最小にするための角度可変装置の構成を含んでいる。
【００１５】
前記組立移動式球技用ゴール組立時に支柱を立てる場合クロスバーの中心部重量のため支柱の下部は支柱間の外側に向かって開いているので、目測で地面に垂直になるように、目で確認しながら内側に引き寄せて地盤埋め込み支持具止める。しかし、クロスバーの水平性をやかましく言う場合や、クロスバーの径や厚みがある一定以下（条件によって違うが鋼管の場合厚さ約２mm直径約６０mm以下）の場合。また前記以上のパイプの径が有っても、パイプの材質が鋼管よりも柔らかい場合は中心部のたわみが目視で確認出来る量になってしまう。
【００１６】
その対策として図３は支点の持ち上げ角度を変化させることによりクロスバーの最高点と最低点の差を小さくする方法を説明したものである。それは、左右２本の支柱とクロスバーの接続機構部での接続に９０度を超える角度を付けることで、クロスバーの最高点と最低点の差を減少させる。図３は方法を説明するためにたわみの量を大きくしてクロスバー半分を描いたもので、鋼管Ｃと鋼管Ｄは全く同形状である。クロスバーが全長１８００ｍｍで２８０ｍｍのたわみがあるとすると、接続機構部の角度を６度だけ９０度より大きくした時。クロスバーの最高点と最低点の差は約８０ｍｍと約３.５分の１に減っている。この方法を応用することによりクロスバーの最高点と最低点の差を少なくする。この結果、ゴールに使うクロスバーの太さより細く、また厚みをより薄くすることが可能であり、ついては支柱の太さを細く厚みも薄く作ることが出来る。結果的にゴール全体の重量も軽くなる。
なお前記支持金属板の一例として上下逆Ｌ字型で横方向の先端が左右両支柱の内側を向いている物もある。
【００１７】
請求項３に係る発明は、請求項１に記載の、前記支柱接続補強部材または前記支柱そのものの上端と前記クロスバー接続補強部材をＴ字に接続しリブまたは角柱の部材を補強接続することの代わりに、材料の強度と重さにより前記支柱接続補強部材あるいは前記支柱そのものの上端と前記クロスバー接続補強部材の接続角度が９０度を超えて１００度以下でクロスバーの最高点と最低点の差を最小にする角度で接続しリブまたは角柱の部材を補強接続する構成を含んでいる。
【００１８】
請求項４に係る発明は、請求項１〜３に記載の発明に両支柱の背面または前記支柱から前記梁またはプレートの間を接続した方杖に気泡管や振り子式からなる垂直測定器を設ける構成を含んでいる。つまり、請求項１〜３の支柱のコート側を正面とすると左右２本の前記支柱の背面または前記支柱から前記梁またはプレートの間を接続した方杖に気泡管の垂直測定器を埋め込むか、保護ケースに入った気泡管か振り子式垂直測定器を外付けする。その使い方は、組立移動式球技用ゴール組立時に支柱を立てた時、クロスバーの中心部重量のため、クロスバーはたわみ、両支柱の下部は支柱間の外側に向かって開いているので、この垂直測定器により垂直を目で確認しながら、両支柱の下部と梁またはプレートを内側に引き寄せて地盤埋め込み支持具で止める。    
【００１９】
請求項５に係る発明は、クロスバーの中心を境に左右２セット別々のテレスコピック式部材と、中心部に３つ折りが可能なジョイントと、折れる部分に前記ジョイント部がすべて隠れる以上の長さの軸着しているカラーリングと、折りたたみ時は左右どちらか前記テレスコッピクの中心にもっとも近いロッドに前記カラーリングの収納スペースがもうけてある構成を含んでいる。もし中心部を三つ折りにしないと、テレスコピック式でサッカーゴールを作りクロスバーを５分割したとき中心部のロッドが約３ｍ以上になる。そこで、中心部を三つ折りにすれば７.５２ｍ÷２＝３.７６ｍで中心接続カラーリングを０.４５ｍ、テレスコピック式部材の係合機構部を０.３ｍとすると折りたたんだ時のクロスバー重なり合いは（３．７６ｍ−０.４５ｍ―０.３ｍ）÷３＝約１ｍよって１ｍ＋０.４５ｍ＋０.３ｍ＝１.７５ｍテレスコピックを縮めたときは約１.７５ｍ程度の長さとなる。
【００２０】
請求項６に係る発明は、前記テレスコピック式部材を引き延ばした時に、前記テレスコピック式部材の径小部に設けた中心方向への押し込み自在のピンと、前記テレスコピック式部材の径大部の壁に設けた前記係止ピンの位置と合う係止穴とからなる請求項５のクロスバーの構成を含む。
テレスコピック式のパイプやロッドを引き延ばした時、ロッドやパイプの径小部に設けたスプリングやバネなどの弾性体より中心方向への押し込み自在のピンと前記テレスコピック式のパイプの径大部の壁に設けた係止穴によって摺動を止める。
【発明の効果】
【００２１】
今までの組立分解式球技用ゴール枠のなかで、特にサッカーの公式寸法の分解組立式ゴールは試合ごとに分解移動する目的よりも購入時の物流のために分解組立していた。また、小型のゴールは毎回分解組立目的であったが公式ゴールとしての大きさはなく練習目的であった。この発明により左右２本支柱とクロスバーがより径の細い厚みの薄いパイプまたはロッドで良くなり、左右２本支柱の下端から背面に出た転倒防止梁またはプレートの先端間にクロスバーと同じ長さのパイプ補強する必要もない、また、たわみにより強くなったことからクロスバーをこの発明以前より短く分割される。これにより分解して持ち運ぶ時の荷姿の重さが軽くなり長さが短くなる。公式ルールを満足する荷姿の小さい軽量組立分解式球技用ゴール枠を供給する。
【発明を実施するための最良の形態】
【００２２】
図１は、本発明の請求項１の斜視図でありＢはＡの部分拡大図である。Ａのように左右２本の支柱１がある。左右２本の支柱１の上端にその支柱のより短い丸パイプまたは角パイプを支柱１に外嵌した支柱接続補強部材２a数本のクロスバー３，クロスバーを接続するため点線の部分のクロスバー３の内径よりも外径の小さいパイプ３aと抜け止めねじ５があり。クロスバー両端に丸パイプまたは角パイプを外嵌することによりクロスバーの両端支持するクロスバー接続補強部材２bと、支柱接続補強部材２aとクロスバー接続補強部材２ｂをＴ字に接続しリブ２ｃと２ｄを付け接続する。リブ２ｄはゴール内側にボールの通過の障害とならないようＲ形状をつけることもある。
【００２３】
左右２本の支柱１の転倒を防止する丸パイプまたは角パイプまたはＣチャンネルの梁４を支柱１の下端から後方に設置する。この梁４設置は支柱１の内径よりも外径の小さい嵌脱可能なパイプ４aを梁４に接続しそれを抜け止めねじ５によって止める。クロスバー３のたわみを防ぐため支柱２の下端を支柱間の内側に引き寄せて地盤埋め込み支持具６で止める。また、地盤埋め込み支持具６は丸パイプまたは角パイプまたはＣチャンネルの梁４そのものに穴を空けて止める方法もある。左右両端の支柱接続部２のどちらかがクロスバー３を軸に回動するようにした自由回動部７はクロスバー接続補強部材２ｂの中を回動することが出来、クロスバー３外側でクロスバー接続補強部材２ｂのすぐ内側にリング７aとすぐ外側に外れ止め５でクロスバー３の左右方向の移動防止する。支柱１と梁４の間にあって前後方向の補強目的の上部は抜け止め防止器具５で着脱が出来、下部は蝶番８aで折りたたみが出来る方杖８がある。
【００２４】
請求項２の実施例は図４のように、左右２本の支柱１そのものかあるいは支柱１とクロスバー３の接続部の角度決定はねじを使用し９０度を超えて１００度の間で自在に変化する。ＦはＥの角度可変ねじ部の拡大図である。
加えて、支柱１とクロスバー３の角度決定方を示したものである。支柱接続補強材２aには上下逆Ｌ字型の支持金属板２ｆを取り付け、支持金属板２ｆの左右２本の支柱内側方向の水平先端には雄ねじ２ｊを回動させたとき作用点の移動を吸収する支持部材２ｎがある。支持部材２ｎの先端に鉛直方向に穴を空けねじの回動が自在なるように組み付けられた雄ねじ２ｊがある。支持金属板２ｆにおいて雄ねじ２ｊの反対側の背の部分に支持金属板２ｆとは直角になるようにクロスバー接続補強部材２ｂより幅の広い長方形の金属板２ｈを溶接する。金属板２ｈに支持金属板２ｆと平行になるように長方形の支持金属板２ｇを溶接する。クロスバー接続補強部材２ｂのクロスバー両端に近い支点の２iは支持金属板２ｆと支持金属板２ｇに取り付けられ回動自在となっている。片方はクロスバー接続補強部材２ｂより鉛直方向の穴位置２jに合うように水平方向に支持金属板２ｋを出して穴を空けそこに雌ねじが切ってある接続部材２ｋと、これら２つの部材を組み合わせクロスバーの中心部を上に上げる方向に雄ねじ２ｊを回し支柱に対するクロスバー接続角度が９０度を超えて１００度以下に保つことによりクロスバーの最高点と最低点の差を少なくする。
【００２５】
この場合も、組立時の支柱１とクロスバー３の接続角度が９０度を超えてその角度を保ったとしても、支柱１自体が地面に垂直にならないとクロスバー３がたわむ、そこでたわむクロスバー３の中心部角度分だけを水平に近くするために支柱２の下端を支柱間の内側に引き寄せて地盤埋め込み支持具６で止める。また、この地盤埋め込み支持具は組立分解式球技用ゴール枠全体が倒れ防止する役目も果たす。
【００２６】
クロスバー３は内部のパイプ３aによって接続されておりその抜け防止器具として図５のようなバネフックや市販のねじを使用する。抜け防止器具図５は５aが角度を変える駒であり本体５ｂと平行にして支柱やクロスバーの接続箇所に差し込みクロスバーを貫通したところで角度を変える駒５aを９０度回す。その位置でバネ５ｄの戻る力で角度を変える駒５aが９０度のままで本体５ｂがクロスバーから抜けるのを防止する。
【００２７】
請求項３の実施例は請求項１の、支柱接続補強部材２aとクロスバー接続補強部材２ｂをＴ字に接続しリブを補強接続することの代わりに、支柱接続補強部材２aとクロスバー接続補強部材２bの接続角度が９０度を超えて１００度以下で材料の強度と重さによりクロスバーの最高点と最低点の差を最小にする角度を決定して置きその角度で接続してリブ２ｃ２ｄを補強接続すること。クロスバー３の中心がたわむことを見越してその分だけ接続角度を上げておく。それにより図６(補助線Eはゴールを立てた時の水平と垂直を表したもの)のように支柱を寝かせた状態ではその支柱の下端は少し開いた状態である。これを立ち上げて支柱２の下端を支柱間の内側に引き寄せて止める地盤埋め込み支持具６で止める。接続角度を上げた分とクロスバー３の自重とのバランスが取れクロスバー３はたわまない。
【００２８】
請求項４の実施例は図７のように請求項１〜３の支柱１のコート側を正面とすると、左右２本の支柱１の背面の方杖８に気泡管垂直測定器９を埋め込む。それにより、組立移動式球技用ゴール組立時に両支柱１を立てた時、クロスバーの中心部重量のため、クロスバーはたわみ支柱１の下部は支柱間の外側に向かって開いているので、人間の目でこの気泡管垂直測定器９により垂直を確認しながら、両支柱１の下部と梁４を内側に引き寄せて地盤埋め込み支持具６で止める。この気泡管垂直測定器９は方杖８に埋め込んであるが、保護ケースに入った気泡管垂直測定器９支柱１の背面に取り付けても良い、また、左右２本の支柱１の転倒を防止する丸パイプまたは角パイプまたはＣチャンネルの梁４に付けても良い。
【００２９】
請求項５の実施例は図８のようにテレスコピック式クロスバーのジョイント１０aを直線としたときＧとなり収納時にＨとなる、請求項１〜４のクロスバーの中心を境に、左右２セット別々のテレスコピック式パイプとロッド１０作る。中心部に３つ折りが可能なジョイント１０aがあって、折れる部分にジョイント部１０aがすべて隠れる以上の長さの軸着するカラーリング１０ｂを準備し分解時は左右どちらかテレスコッピクの中心にもっとも近いロッドにカラーリング１０ｂの収納スペースがもうけてある。使用時にはジョイント１０ａを直線としカラーリング１０ｂをスライドさせ直線を固定する。また、テレスコピック式パイプ１０を止まるまで延ばす。
【００３０】
請求項６の実施例は図９ように、テレスコピック式パイプ１０ｆの端部材１１に、押し込みピン穴１０ｉが開けられている。また、端部材１１内には、Ｕ字形の板バネ１１ｂと、板バネ１１ｂの端部に溶接した押し込みピン１１aとからなる係止部材があり、押し込みピン１１aの頭部１１ｃは押し込みピン穴１０iから外に突出している。テレスコピック式パイプ１０ｇの の端部には、押し込みピン１１aの頭部１１ｃが係止する係止穴１０ｊが開けられて係合機構を形成している。
【００３１】
テレスコピック式パイプ１０が引き延ばされ中径パイプ１０ｇのストッパー１０ｄが１０ｆのストッパー１１ｄ当たったとき最長に延び、押し込みピン１１aの頭部１１ｃが係止穴１０ｊに嵌まっている。押し込みピン１１aの係止位置は、テレスコピック式パイプ１０ｆの最長まで引き延ばされたとき、押し込みピン１１aの位置を事前にテレスコピック式パイプ１０ｆにエッチングや浅い一本のフライス加工などの方法で消えないように記入しておく。押し込みピン１１ａの頭部１１ｃは係止穴１０ｊに係止することになる。テレスコピック式パイプの収縮は、押し込みピン１１ａの頭部１１ｃを指などで押し込んで押し込みピン１１ａと係止穴１０ｊとの係止を解除し、摺動を縮めることによりなされる。
【図面の簡単な説明】
【００３２】
【図１】本発明の第１実施態様を示した斜視図でありＢはＡの部分拡大図である。
【図２】本発明の第１実施態様のクロスバーに自由回動部を設けることにより支柱を片側だけ立てた場合の図である。
【図３】本発明のクロスバーの最高点と最低点の差を小さくする方法を説明した図である。
【図４】本発明の第２実施態様の形状を示した斜視図でありＦはＥのねじ部の部分拡大図である。
【図５】本発明のクロスバーと接続パイプや接続補強部材の抜け防止器具の１案である。
【図６】本発明の第３実施態様の支柱とクロスバー接続角度をあらかじめ約９２度に固定しておいて、ゴールを立てる前の形状を示した斜視図である。
【図７】本発明の第４実施態様の形状を示した斜視図である。
【図８】本発明の第５実施形態の形状を示した斜視図である。
【図９】本発明の第６実施形態の形状を示した斜視図である
【符号の説明】
【００３３】
１    支柱  
２    接続補強部材
３    クロスバー
４    梁
５    抜け止め部材
６    地盤埋め込み支持具
７    クロスバー回動機構部
８    方杖
２a    支柱補強パイプ
２b    クロスバー補強パイプ
２c    補強リブ
２d    補強R付リブ
３a    クロスバー接続パイプ
８a    蝶番
【図１】
2005168609.tif 000005
【図２】
2005168609.tif 000006
【図３】
2005168609.tif 000007
【図４】
2005168609.tif 000008
【図５】
2005168609.tif 000009
【図６】
2005168609.tif 000010
【図７】
2005168609.tif 000011
【図８】
2005168609.tif 000012
【図９】
2005168609.tif 000013